【手続補正書】
【提出日】平成16年10月12日(2004.10.12)
【手続補正１】
【補正対象書類名】明細書
【補正対象項目名】特許請求の範囲
【補正方法】変更
【補正の内容】
【特許請求の範囲】
【請求項１】  第１方向と、互いに垂直な第２方向に引き伸ばし可能なラミネート材であって、
前記第１方向に筋皺をもち、かつ互いに垂直な前記第２方向に起伏をもつフィルムと、
前記フィルムに結合され、前記互いに垂直な前記第２方向に起伏をもつ不織ウェブと、
前記ラミネート材に塗布されるクレープ加工接着剤と、
からなるラミネート材。
【請求項２】  前記フィルムが非弾性フィルムからなることを特徴とする請求項１に記載のラミネート材。
【請求項３】  前記フィルムが通気性の微孔性フィルムからなることを特徴とする請求項１に記載のラミネート材。
【請求項４】  前記不織ウェブがスパンボンドウェブからなることを特徴とする請求項１に記載のラミネート材。
【請求項５】  前記不織ウェブが前記フィルムに接着剤結合されたことを特徴とする請求項１に記載のラミネート材。
【請求項６】  前記不織ウェブが前記フィルムに熱結合されたことを特徴とする請求項１に記載のラミネート材。
【請求項７】  第１方向と、互いに垂直な第２方向に引き伸ばし可能なラミネート材であって、
前記第２方向に起伏をもち、かつ前記第２方向への伸長性をもつフィルムと、
前記フィルムに結合され、前記第２方向に起伏をもつ不織ウェブと、
前記ラミネート材に塗布されるクレープ加工接着剤と、
からなるラミネート材。
【請求項８】  前記フィルムが、前記第２方向に伸ばすことができる伸長性ポリマーからなることを特徴とする請求項７に記載のラミネート材。
【請求項９】  前記不織ウェブがスパンボンドウェブからなることを特徴とする請求項７に記載のラミネート材。
【請求項１０】  前記不織ウェブが前記フィルムに接着剤結合されたことを特徴とする請求項７に記載のラミネート材。
【請求項１１】  前記不織ウェブが前記フィルムに熱結合されたことを特徴とする請求項７に記載のラミネート材。
【請求項１２】  第１方向と、互いに垂直な第２方向に引き伸ばし可能なラミネート材であって、
前記第２方向に引き伸ばし可能なフィルムと、
前記第１方向にネック伸長され、且つ前記第１方向に接着剤でクレープ加工された不織ウェブと、
前記フィルムを前記不織ウェブに結合する接着剤と
からなるラミネート材。
【請求項１３】  前記フィルムが通気性の微孔性フィルムからなることを特徴とする請求項１２に記載のラミネート材。
【請求項１４】  前記フィルムが、前記第１方向に接着剤でクレープ加工され、前記第２方向に皺を有する非弾性フィルムからなることを特徴とする請求項１２に記載のラミネート材。
【請求項１５】  前記フィルムが、前記第２方向に伸ばすことができる伸長性ポリマーからなることを特徴とする請求項１２に記載のラミネート材。
【請求項１６】  前記第１方向が機械方向からなり、前記第２方向が横方向からなることを特徴とする請求項１２に記載のラミネート材。
【請求項１７】  エラストマー性クリープ加工接着剤が、前記フィルムと前記不織ウェブの少なくとも一方に不均等に塗布されたことを特徴とする請求項１２に記載のラミネート材。
【請求項１８】  結合パターンが、前記不織ウェブに不均等に適用されたことを特徴とする請求項１２に記載のラミネート材。
【請求項１９】  前記引き伸ばし可能なフィルムと前記不織ウェブの少なくとも一方に結合されたエラストマー性フィルムをさらに備えたことを特徴とする請求項１２に記載のラミネート材。
【請求項２０】  前記引き伸ばし可能なフィルムと前記不織ウェブの少なくとも一方に結合された複数のエラストマー性繊維をさらに備えたことを特徴とする請求項１２に記載のラミネート材。
【請求項２１】  前記引き伸ばし可能なフィルムと前記不織ウェブの少なくとも一方に結合されたエラストマー性発泡体をさらに備えたことを特徴とする請求項１２に記載のラミネート材。
【請求項２２】  前記引き伸ばし可能なフィルムと前記不織ウェブの少なくとも一方に結合されたエラストマー性スクリムをさらに備えたことを特徴とする請求項１２に記載のラミネート材。
【請求項２３】  前記ラミネート材は、前記第１方向に約３０％から約２００までの範囲に伸ばすことができることを特徴とする請求項１２に記載のラミネート材。
【請求項２４】  前記ラミネート材は、前記第１方向に約４０％から約１７０までの範囲に伸ばすことができることを特徴とする請求項１２に記載のラミネート材。
【請求項２５】  前記ラミネート材は、前記第１方向に約５０％から約１５０までの範囲に伸ばすことができることを特徴とする請求項１２に記載のラミネート材。
【請求項２６】  前記ラミネート材は、前記第２方向に約３０％から約２００までの範囲に伸ばすことができることを特徴とする請求項１２に記載のラミネート材。
【請求項２７】  前記ラミネート材は、前記第２方向に約４０％から約１７０までの範囲に伸ばすことができることを特徴とする請求項１２に記載のラミネート材。
【請求項２８】  前記ラミネート材は、前記第２方向に約５０％から約１５０までの範囲に伸ばすことができることを特徴とする請求項１２に記載のラミネート材。
【請求項２９】  請求項１２に記載のラミネート材からなる吸収性物品外側カバー。
【請求項３０】  第１方向と、互いに垂直な第２方向に引き伸ばし可能なラミネート材であって、
前記第１方向にクレープ加工され、前記第２方向に皺を有する非弾性フィルムと、
前記第１方向にネック伸長され、前記第１方向にクレープ加工され、前記フィルムにラミネートされた不織ウェブと、
前記フィルム及びウェブの少なくとも一方の表面に塗布されたエラストマー性クレープ加工接着剤と、
からなるラミネート材。
【請求項３１】  前記フィルムが通気性の微孔性フィルムからなることを特徴とする請求項３０に記載のラミネート材。
【請求項３２】  前記エラストマー性クレープ加工接着剤が、前記フィルムと前記不織ウェブの少なくとも一方に不均等に塗布されたことを特徴とする請求項３０に記載のラミネート材。
【請求項３３】  結合パターンが、前記不織ウェブに不均等に適用されたことを特徴とする請求項３０に記載のラミネート材。
【請求項３４】  前記非弾性フィルムと前記不織ウェブの少なくとも一方に結合されたエラストマー性フィルムをさらに備えたことを特徴とする請求項３０に記載のラミネート材。
【請求項３５】  前記非弾性フィルムと前記不織ウェブの少なくとも一方に結合された複数のエラストマー性繊維をさらに備えたことを特徴とする請求項３０に記載のラミネート材。
【請求項３６】  前記非弾性フィルムと前記不織ウェブの少なくとも一方に結合されたエラストマー性発泡体をさらに備えたことを特徴とする請求項３０に記載のラミネート材。
【請求項３７】  前記非弾性フィルムと前記不織ウェブの少なくとも一方に結合されたエラストマー性スクリムをさらに備えたことを特徴とする請求項３６に記載のラミネート材。
【請求項３８】  前記ラミネート材は、前記第１方向に約３０％から約２００までの範囲に伸ばすことができることを特徴とする請求項３０に記載のラミネート材。
【請求項３９】  前記ラミネート材は、前記第１方向に約４０％から約１７０までの範囲に伸ばすことができることを特徴とする請求項３０に記載のラミネート材。
【請求項４０】  前記ラミネート材は、前記第１方向に約５０％から約１５０までの範囲に伸ばすことができることを特徴とする請求項３０に記載のラミネート材。
【請求項４１】  前記ラミネート材は、前記第２方向に約３０％から約２００までの範囲に伸ばすことができることを特徴とする請求項３０に記載のラミネート材。
【請求項４２】  前記ラミネート材は、前記第２方向に約４０％から約１７０までの範囲に伸ばすことができることを特徴とする請求項３０に記載のラミネート材。
【請求項４３】  前記ラミネート材は、前記第２方向に約５０％から約１５０までの範囲に伸ばすことができることを特徴とする請求項３０に記載のラミネート材。
【請求項４４】  請求項３０に記載のラミネート材からなる吸収性物品外側カバー。
【請求項４５】  第１方向と、互いに垂直な第２方向に伸縮可能なラミネート材であって、
前記第１方向にクレープ加工され、前記第２方向に皺を有する非弾性フィルムと、
前記第１方向にネック伸長され、前記第１方向に接着剤でクレープ加工され、前記フィルムにラミネートされた不織ウェブと、
前記フィルム及びウェブの少なくとも一方に取り付けられたエラストマー部材と、
からなるラミネート材。
【請求項４６】  前記フィルムが通気性の微孔性フィルムからなることを特徴とする請求項４５に記載のラミネート材。
【請求項４７】  エラストマー性クレープ加工接着剤が、前記フィルムと前記不織ウェブの少なくとも一方に不均等に塗布されたことを特徴とする請求項４５に記載のラミネート材。
【請求項４８】  結合パターンが、前記不織ウェブに不均等に適用されたことを特徴とする請求項４５に記載のラミネート材。
【請求項４９】  前記エラストマー部材がエラストマーフィルムからなることを特徴とする請求項４５に記載のラミネート材。
【請求項５０】  前記エラストマー部材が複数のエラストマー繊維からなることを特徴とする請求項４５に記載のラミネート材。
【請求項５１】  前記エラストマー部材が複数のエラストマー発泡体からなることを特徴とする請求項４５に記載のラミネート材。
【請求項５２】  前記エラストマー部材が複数のエラストマースクリムからなることを特徴とする請求項４５に記載のラミネート材。
【請求項５３】  前記ラミネート材は、前記第１方向に約３０％から約２００までの範囲に伸ばすことができることを特徴とする請求項４５に記載のラミネート材。
【請求項５４】  前記ラミネート材は、前記第１方向に約４０％から約１７０までの範囲に伸ばすことができることを特徴とする請求項４５に記載のラミネート材。
【請求項５５】  前記ラミネート材は、前記第１方向に約５０％から約１５０までの範囲に伸ばすことができることを特徴とする請求項４５に記載のラミネート材。
【請求項５６】  前記ラミネート材は、前記第２方向に約３０％から約２００までの範囲に伸ばすことができることを特徴とする請求項４５に記載のラミネート材。
【請求項５７】  前記ラミネート材は、前記第２方向に約４０％から約１７０までの範囲に伸ばすことができることを特徴とする請求項４５に記載のラミネート材。
【請求項５８】  前記ラミネート材は、前記第２方向に約５０％から約１５０までの範囲に伸ばすことができることを特徴とする請求項４５に記載のラミネート材。
【請求項５９】  請求項４５に記載のラミネート材からなる吸収性物品外側カバー。